(57)【要約】  【課題】  従来のようにアタッチメント取付け具と機体等の他部材と関連する油圧路の配管や電気の配線を必要とせず、構造が簡単で、使い勝手も良好で、しかも、全体として安価なパワーショベルを提供できる。  【解決手段】  上部において互いに回動自在に枢着した第一アーム１と第二アーム２の下部に凹入受部７，８をそれぞれ設け、該凹入受部７，８にアタッチメント９の取付けピン１０，１１を係合した状態を保持する油圧シリンダ１２を第一、第二の両アーム間に装置する。そして、前記油圧シリンダ１２に油圧を供給する手動ポンプやバッテリー式電動ポンプ等の油圧供給装置１６を前記アーム１，２に設ける。【選択図】    図１
2010133142.tif 000002
【特許請求の範囲】
【請求項１】
上部において互いに回動自在に枢着した第一アームと第二アームの下部に凹入受部をそれぞれ設け、該凹入受部にアタッチメントの取付けピンを係合した状態を保持する油圧シリンダを第一、第二の両アーム間に装置すると共に、前記油圧シリンダに油圧を供給する手動ポンプやバッテリー式電動ポンプ等の油圧供給装置を前記アームに設けた、パワーショベルのアタッチメント取付け具。
【発明の詳細な説明】
【技術分野】
【０００１】
本発明は、パワーショベルのアームの先端にバケットその他のアタッチメントを着脱自在に取り付けるために装置する、パワーショベルのアタッチメント取付け具に関するものである。
【背景技術】
【０００２】
パワーショベルのアタッチメント取付け具として、例えば、上部において互いに回動自在に枢着した第一アームと第二アームの下部に凹入受部をそれぞれ設け、該凹入受部にアタッチメントの取付けピンを係合した状態を保持する油圧シリンダを前記第一、第二の両アーム間に架設した構造のものが知られている（例えば、特許文献１）。
【０００３】
【特許文献１】特開２００７−９６０６号公報
【発明の開示】
【発明が解決しようとする課題】
【０００４】
パワーショベルは、機体をクローラ装置等によって移動させながら運転席のある旋回台を旋回させたり、アーム装置を左右方向や上下方向に回動させ、アーム先端にアタッチメント取付け具を介して取り付けたアタッチメント、例えば、バケットにより地面を掘削等するのであるが、前記の操作は機体に搭載した油圧ユニットから油圧を供給された油圧シリンダで行われ、アタッチメント取付け具に取付けられるアタッチメントも前記油圧ユニットから供給される油圧によってその取付け状態すなわち、アタッチメント取付け具の凹入受部にアタッチメントの取付けピンを係合した状態が保持されるようになっている。
【０００５】
従って、前記従来例は、パワーショベル本体である機体の、油圧ユニットの搭載個所からアーム先端に装置したアタッチメント取付け具に設けた油圧シリンダまでの油圧路を構成するホース（管）の配管やそれに伴う電気配線や種々の機器を旋回台や機体に装備しなければならず、装備による保守点検も必要とし、その改善が期待されていた。
【０００６】
本発明は、斯様な期待に応じる一つの手段として提案するもので、構造が簡単で、安価で、しかも、使用勝手の良好な、パワーショベルのアタッチメント取付け具を提供することを目的とするものである。
【課題を解決するための手段】
【０００７】
上部において互いに回動自在に枢着した第一アームと第二アームの下部に凹入受部をそれぞれ設け、該凹入受部にアタッチメントの取付けピンを係合した状態を保持する油圧シリンダを第一、第二の両アーム間に装置すると共に、前記油圧シリンダに油圧を供給する手動ポンプやバッテリー式電動ポンプ等の油圧供給装置を前記アームに設けた、構成とするのである。
【発明の効果】
【０００８】
本発明によれば、アームに設けた油圧供給装置を作動させるだけで油圧シリンダを動かしてアタッチメントを保持させることができ、従来のようにアタッチメント取付け具と機体等の他部材と関連する油圧路の配管や電気の配線を必要とせず、構造が簡単で、使い勝手も良好で、しかも、全体として安価なパワーショベルを提供できる。
【実施例】
【０００９】
図面は本発明に係るパワーショベルのアタッチメント取付け具の一実施例を示し、図１は一部欠截正面図、図２は図１の平面図である。
【００１０】
図中、１，２はアタッチメント取付け具Ａの第一アームと第二アームで、第一アーム１は第一リンクプレート１ａ，１ｂで成り、第二アーム２は該第一リンクプレート１ａ，１ｂの内側に配した第二リンクプレート２ａ，２ｂとで成り、第一アーム１は一端をパワーショベルのアーム３と前記第二アームの一端と揺動軸と成る支軸４で連結し、第一アーム１の他端はパワーショベルのリンク５と連結軸６に回動自在に枢着してある。
【００１１】
そして、第一アーム１の第一リンクプレート１ａ，１ｂの下端部は外向き開口の係合部７ａを備えた凹入受部７で互いに接続され、第二アーム２の第二リンクプレート２ａ，２ｂの下端は第一アーム１側の凹入受部７と反対側開口の係合部８ａを備えた凹入受部８で互いに接続され、各凹入受部７，８にアタッチメント９の取付けピン１０，１１を係合し油圧シリンダ１２を機能させて前記アタッチメント９の係合部７ａ，８ａに対する係合状態を保持するようにしてある。
【００１２】
前記油圧シリンダ１２は、基部を前記第一リンクプレート１ａ，１ｂ間にわたした支持軸１３で第一アーム１に支持させ、シリンダ筒１２ａを出入するピストンロッド１２ｂの先端を、第二リンクプレート２ａ，２ｂ間にわたした第二支持軸１４で第二アーム２に回動自在に支持させ、両アーム１，２間に装置してある。
【００１３】
油圧シリンダ１２は、所謂複動シリンダで構成して成り、前記第一アーム１の一方の第一リンクプレート１ａの表面に設けた支持板１５に支持させた手動ポンプ１６から圧送される作動油の油圧で、ロッド１２ｂが進退し、第二アーム２を支軸４を揺動させるようになっている。
【００１４】
手動ポンプ１６は、手動切換弁１６ａを適宜の方向に切換えて、操作レバー１６ｂを操作すると、ポンプ本体１６ｃからの油圧（作動油）はシリンダ筒１２ａの第一、第二油圧室の一方に注入され、他方から吐出される油圧がポンプ本体に注入され、油圧となって前記油圧室の一方の注入されるようになっており、手動切換弁１６ａによってシリンダ筒１２ａの一対の油圧室のいずれかの注入方向を決め（すなわち、アタッチメント９を取付け具Ａに取付けるか又は取付け具Ａより離脱させるかによって）、操作レバー１６ａの揺動操作の繰り返しにより、油圧は所定の油圧室側に注入され、ロッド１２ｂは進退し、前進時（伸展時）にはアタッチメント９の取付けピン１０，１１が取付け具Ａの凹入受部７，８の係合部７ａ，８ａに係合した状態が確保され、後退時（縮小時）には支軸４を中心に第一、第二のアーム１，２は回動し、凹入受部７，８は接近する方向に移動し、取付けピン１０，１１は凹入受部７，８から離脱し、取付け具Ａからアタッチメント９が離れるのである。
【００１５】
尚、前記手動ポンプに代えて電動式のものすなわちバッテリー式の電動ポンプでも不都合はない。要は、取付け具Ａの第一、第二のアーム１，２を操作するために該取付け具Ａがパワーショベルの機体や旋回台に装備した機器に連けいさせる必要のない油（グリースでも良い）圧供給装置であれば、該装置が他と無関係に取付け具Ａにのみに装備できる構造のものであれば良い。
【００１６】
図示１９は、取付けピン１０，１１の凹入受部７，８からの離脱を尚一層確実に防ぐためのロック装置を示す。
【図面の簡単な説明】
【００１７】
【図１】一部欠截正面図。
【図２】図１の平面図。
【符号の説明】
【００１８】
１          第一アーム
２          第二アーム
７，８      凹入受部
９          アタッチメント
１０，１１  取付けピン
１２        油圧シリンダ
１６        手動ポンプ
【図１】
2010133142.tif 000003
【図２】
2010133142.tif 000004